(57)【特許請求の範囲】
【請求項１】
ハウジング（２、２’）を備える家具用のダンパ、特にヒンジ用のダンパ（１、１’）であって、
前記ハウジング内には、ピストンロッド（３、３’）に接続されるピストン（８、８’）が移動可能に受容され、前記ハウジング（２、２’）内での前記ピストン（８、８’）の動作中に前記ピストン（８、８’）上または前記ピストン（８、８’）内の少なくとも１つのフローチャンネル（１１、１１’）を通じて流体が流れ、前記ピストン（８、８’）の動作中に異なる制動力が色々な方向で得られ、プレート（１２、１２’）を前記ピストン（８、８’）に対して移動することにより、少なくとも１つの溝（２０、２０’）の幾つかの部分で前記フローチャンネルの断面を変えることができる、ダンパ（１、１’）において、
少なくとも１つの前記溝（２０、２０’）に略漏斗形状の出口（２２、２２’）が形成され、もって、キャビテーションを回避するようになっており、
前記漏斗形状の出口（２２、２２’）が湾曲された移行部を有し、
前記漏斗形状の出口（２２、２２’）が、前記ピストン（８、８’）の軸方向フローチャンネル（１１、１１’）に隣接して配置され、
前記溝（２０）と前記フローチャンネル（１１）との間における前記移行部の曲率半径が０．３〜２ｍｍの範囲内であることを特徴とする、ダンパ。
【請求項２】
前記溝（２０’）が曲り部分を有することを特徴とする、請求項１に記載のダンパ。
【請求項３】
前記溝（２０’）が波状または螺旋状に形成されることを特徴とする、請求項１または２に記載のダンパ。
【請求項４】
前記溝（２０’）が少なくとも５ｍｍの長さを有することを特徴とする、請求項１〜３のいずれか一項に記載のダンパ。
【請求項５】
前記溝（２０’）が径方向に対して角度を成して配置される部分を有する、請求項１〜４のいずれか一項に記載のダンパ。
【発明の詳細な説明】
【技術分野】
【０００１】
本発明は、ハウジングを備え、該ハウジング内には、ピストンロッドに接続されるピストンが移動可能に受容され、ハウジング内でのピストンの動作中にピストン上またはピストン内のフローチャンネル（ｆｌｏｗ  ｃｈａｎｎｅｌ）を通じて流体が流れ、ピストンの動作中に異なる制動力が色々な方向で得られ、プレートをピストンに対して移動できることで、少なくとも１つの溝の幾つかの部分でフローチャンネルの断面を変えることができる家具用、特にヒンジ用のダンパに関する。
【背景技術】
【０００２】
ピストンが円筒状のハウジング内で移動できる家具用のダンパは、国際公開第２００７／０９９１００号パンフレットから知られている。ハウジングが流体で満たされ、それにより、ピストンの動作中、動作の制動が行なわれる。この場合、制動力は、ピストンの移動方向に応じて異なる。この目的のため、ピストンに対して移動できるプレートが設けられ、それにより、フローチャンネルの断面を溝で変えることができる。
【０００３】
そのようなダンパは、それ自体うまくいっていることが分かっているが、フローチャンネル内の流体の流速が非常に高い。特に家具部品の急速な動作中には、高いピーク負荷がダンパに作用する可能性がある。結果として、かなりの圧力差により、ダンパ内にキャビテーションが生じる可能性がある。
【発明の概要】
【発明が解決しようとする課題】
【０００４】
したがって、本発明の目的は、キャビテーションの危険を伴うことなく高いピーク負荷に対応できる家具用のダンパを提供することである。
【課題を解決するための手段】
【０００５】
この目的は、請求項１の特徴を有するダンパによって達成される。
【０００６】
本発明によれば、少なくとも１つの溝に略漏斗形状の出口が形成され、および／または、溝が径方向に対して角度を成して配置される部分を有し、それにより、キャビテーションが回避される。漏斗形状の出口に起因して、溝と軸方向のフローチャンネルとの間の移行領域に漏斗形状の移行部を設けることができ、それにより、この移行領域では、断面の拡大に起因して、流速がもはや急に減少されず、流速が徐々に減少される。この漏斗形状の移行部は、流体がもはや急に流れずにピストンの軸方向のフローチャンネルへ向けて緩やかに移行して流れるという効果を有する。これは、速度と圧力との関係を改善して、キャビテーションを回避する。また、径方向に対して角度を成して配置される部分を溝に設けることができる。結果として、径方向にだけ延びる場合と比べて溝を長くすることができ、それにより、溝の絞り効果が長い距離にわたって分配され、したがって、溝の断面を更に大きく形成することができる。また、この手段は、溝の大きい断面の結果として幾分低い流速が得られるため、キャビテーションの傾向を減らす。
【０００７】
本発明の好ましい実施形態では、溝が曲り部分を有する。この場合、溝を波状または螺旋状に形成することができる。この措置に起因して、径方向にだけ延びる場合と比べて溝を長くすることができ、それにより、溝の絞り効果が長い距離にわたって分配され、したがって、溝の断面を更に大きく形成することができる。この場合、溝は少なくとも０．５〜１５ｍｍの長さを有することができ、これは、ピストンの通常の直径と比べて比較的長い。
【０００８】
更なる実施形態では、漏斗形状の出口が曲がった移行部を有する。結果として、漏斗形状の出口は、溝の絞り隙間から特に穏やかな移行が成されるような漏斗形状になるように形成される。漏斗形状の出口は、ピストンの軸方向フローチャンネルに隣接して配置されることが好ましい。これは、特に絞り隙間と軸方向フローチャンネルとの間の移行部でキャビテーションが生じるからである。
【０００９】
ダンパを圧力ダンパおよびテンションダンパのいずれとして構成することもできる。しかしながら、圧力ダンパをそれらの構造の結果として装着できる。
【００１０】
以下、添付図面を参照して、２つの典型的な実施形態により本発明を詳しく説明する。
【図面の簡単な説明】
【００１１】
【図１】本発明に係るダンパの斜視図を示している。
【図２】ハウジングを一部切り取った状態の図１のダンパの図を示している。
【図３】図１のダンパの分解図を示している。
【図４】図１のダンパの側断面図を示している。
【図５】図１のダンパのピストンの拡大図を示している。
【図６】図１のダンパのピストンの拡大図を示している。
【図７】本発明に係るダンパの第２の典型的な実施形態の斜視図を示している。
【図８】ハウジングを一部切り取った状態の図７のダンパの図を示している。
【図９】ハウジングを一部切り取った状態の図７のダンパの図を示している。
【図１０】図７のダンパのピストンの斜視詳細図を示している。
【発明を実施するための形態】
【００１２】
特に家具用のダンパ１は略円筒状のハウジング２を備え、該ハウジングからはピストンロッド３が突出する。軸方向に対して垂直に配置される貫通開口５を有する接続要素４がピストンロッド３の一端に形成され、該接続要素には例えばヒンジのボルトを結合することができる。同様に、長手方向に対して垂直に延びる貫通開口６が、ヒンジに接続するためにハウジング２の反対側に形成される。
【００１３】
図２および図３に示されるように、軸方向に移動できるピストン８がハウジング２の内部７に配置される。ピストン８はシールリング１０のための環状溝９を有し、シールリング１０は、ハウジング２の内壁に沿ってピストン８を案内するとともに、ハウジング２の内壁をシールする。流体が流通できる細長い曲り断面を有する軸方向に延びる複数の貫通開口１１がピストン８に形成される。これらの貫通開口１１のうちの少なくとも１つには径方向チャンネル２０が形成される。ピストン８はプレート１２によって端部が閉じられ、プレート１２は、該プレート１２がピストン８に当接する際に貫通開口１１を覆う。これは、ピストン８がシリンダ内へ移動される図示の典型的な実施形態では、ダンパが圧力ダンパとして構成される場合である。逆に、ダンパをテンションダンパとして構成することもできることは勿論である。
【００１４】
プレート１２は、弾性材料から形成されており、中心開口１３を有する。プレート１２は開口１３でピストン８に固定される。ピストン８の動作中、要望通りにプレート１２をピストン８から離れるように曲げることができまたはプレート１２をこのピストンに押し付けることができ、それにより、プレート１２の位置に応じて、貫通開口１１が完全にまたは一部だけ閉じられる。貫通開口１１がプレート１２によって閉じられる場合には、流体が径方向溝２０を通じてのみ流れる。弾性形態の代わりに、プレート１２がピストン８上で移動することもできる。ピストン８は、ピストンロッド３の端部の溝１４に固定される。プレート１２はねじ３によりピストンの面に螺着され、または、プレート１２にピストンの面がスタンピング加工される。重要なのは、可動プレート１２が制動のためにピストン８に押し付けられること、したがって、流体の絞り効果のためにプレート１２が溝に押し付けられることである。
【００１５】
ピストン８の動作中に体積補償を行なうことができるように、ハウジング２の開放側のカバー１８にシールディスク１５を備える補償要素が存在し、シールディスク１５は、スプリング１７の一方側に当接するリング１６上に配置される。スプリング１７の反対側の端部はカバー１８の環状レセプタクルに支持され、該レセプタクルにより、ピストンロッド３の通過のための開口１９が形成される。
【００１６】
図４は、ハウジング２内のピストン８の終端側位置を示している。ピストンロッド３がダンパのハウジング２内に挿入されており、ここでピストンロッド３を引き出すことができ、それにより、ピストン８が右に移動して、流体が貫通開口１１を通じて流れる。この方向では、ピストン８上またはピストン８内の流れ断面が流体にとって比較的大きいままとなるようにプレート１２が弾性的に曲がりまたは僅かに移動されるため、僅かな制動力のみが生み出される。しかしながら、反対方向での移動中においては、プレート１２が貫通開口１１に押し付けられ、それにより、流体は、径方向溝２０を通じて貫通開口１１のうちの１つへ流れることしかできない。
【００１７】
図５および図６はピストン８の外面を拡大図で示しており、この図では、貫通開口１１および径方向溝２０を見ることができる。貫通開口１１への移行部において、径方向溝２０には漏斗形状の出口２２が設けられており、この漏斗形状の出口２２は、貫通開口１１へ向けて曲げられるように形成され、したがって、トランペット形状に延びる。溝２０と軸方向貫通開口１１との間の移行領域における曲率半径は、０．３〜２ｍｍの範囲内にすることができる。
【００１８】
図７〜図１０は本発明に係るダンパ１’の第２の実施形態を示しており、該ダンパ１’は円筒状のハウジング２’を備え、該ハウジング２’内にはピストン８’を伴うピストンロッド３’が移動可能に取り付けられる。ピストンロッド３’の端部がハウジング２’から突出し、該端部には、貫通開口５’を有する接続要素４’が形成される。また、反対側には、他の構成要素に接続するための開口６’がハウジング２’に設けられる。
【００１９】
先の典型的な実施形態の場合と同様に、ダンパ１’は、制動のために使用される流体で満たされた内部７’を備える。ピストン８は、その外周にシールリング１０’を有するとともに、２つの円形の貫通開口１１’を有しており、この場合、ピストン８’の面上には一方の貫通開口１１’から溝２０’が延びている。
【００２０】
ハウジング２’には開放側にカバー１８’が設けられており、該カバーには、体積補償のためにシール要素１６’を備える補償要素が設けられ、上記補償要素には、圧縮性要素、例えばばね荷重補償ピストン、または、弾性圧縮性要素が設けられる。また、他の弾性要素を設けることもできる。
【００２１】
軸方向に延びる１つ以上の溝２１’がハウジング２’の内壁に形成され、該溝２１’は、この領域でピストン８’により分離される２つのチャンバ間の接続を行なうことができるようにする。しかしながら、溝２１’はピストン８’の端部の手前で終端し、それにより、ピストン８’を挿入する際に、最初にピストン８’のこの端部で対応する圧力を生み出すことができ、その後、この圧力は、絞り隙間２０、２０’によってしか減少され得ない。
【００２２】
図１０に示されるように、軸方向の貫通開口１１’とピストン８’の面上に貫通開口に対して垂直に配置される溝２０’との間には漏斗形状移行部２２’が配置され、該移行部は、先の典型的な実施形態の場合と同様、トランペット形状を成して曲げられるように形成される。また、溝２０’は、径方向に延びるだけでなく、かなり長くなっており、ピストン８’の一方の面上で波形状に延びている。それにより、溝２０’は、溝２０’の長さが５ｍｍ〜１５ｍｍとなり得るようにピストン中心３’の周りで案内され、この長さは、既に知られるフローチャンネルと比べるとかなり長い。このようにすると、絞り機能が短い部分だけに制限されず、かなり長い形態に起因して絞り機能を溝２０’の全長にわたって分配させることができるため、溝２０’の断面を大きくすることができる。他の形態の溝２０’も可能であり、特に、溝２０’をピストン中心３’周りでねじの態様で案内することができ、あるいは、溝２０’が異なる曲率および形状を有することができる。
【図１】
0005600832.tif 000002
【図２】
0005600832.tif 000003
【図３】
0005600832.tif 000004
【図４】
0005600832.tif 000005
【図５】
0005600832.tif 000006
【図６】
0005600832.tif 000007
【図７】
0005600832.tif 000008
【図８】
0005600832.tif 000009
【図９】
0005600832.tif 000010
【図１０】
0005600832.tif 000011